(57)【特許請求の範囲】
【請求項１】
所定の電圧から一定電圧に立ち上がるパルス波を発生させる発生部と、
印加された電圧に応じた増幅率で光信号を増幅する光増幅部に印加される電圧を生成する電圧印加部と
を有し、
前記電圧印加部は、
前記発生部が一定電圧に立ち上げたパルス波の電圧を、定常電圧よりも高い電圧に上昇させた後、前記定常電圧よりも低い電圧に下降させる高域強調フィルタと、
前記高域強調フィルタが前記定常電圧よりも低い電圧に下降させた電圧を、前記定常電圧まで上昇させる低域強調フィルタと
を有することを特徴とする光スイッチ駆動回路。
【請求項２】
前記高域強調フィルタは、
静電容量が可変である第１のコンデンサと、第１の抵抗とを含み、前記第１のコンデンサの静電容量と前記第１の抵抗の抵抗値とに応じて、前記発生部が一定電圧に立ち上げたパルス波の電圧が、前記定常電圧よりも高い電圧から、前記定常電圧よりも低い電圧に下降するまでの時間を変動させ、
前記低域強調フィルタは、
静電容量が可変である第２のコンデンサと、第２の抵抗とを含み、前記第２のコンデンサの静電容量と前記第２の抵抗の抵抗値とに応じて、前記高域強調フィルタが前記定常電圧よりも低い電圧に下降させた電圧が、前記定常電圧よりも低い電圧から、前記定常電圧に上昇するまでの時間を変動させる
ことを特徴とする請求項１に記載の光スイッチ駆動回路。
【請求項３】
前記高域強調フィルタは、
外部から印加される外部電圧に応じて、前記第１のコンデンサの静電容量を変更し、
前記低域強調フィルタは、
外部から印加される外部電圧に応じて、前記第２のコンデンサの静電容量を変更する
ことを特徴とする請求項２に記載の光スイッチ駆動回路。
【請求項４】
前記高域強調フィルタが、前記発生部が一定電圧に立ち上げたパルス波の電圧を、定常電圧よりも高い電圧に上昇させる際の時定数τsと、
前記高域強調フィルタが、前記定常電圧よりも高い電圧に上昇させた電圧を、前記定常電圧よりも高い電圧から、前記定常電圧よりも低い電圧に下降させる際の時定数τHと、
前記低域強調フィルタが、前記定常電圧よりも低い電圧に下降された電圧を、前記定常電圧よりも低い電圧から、前記定常電圧に上昇させる際の時定数τLとの関係が、τL＞τH＞τsである
ことを特徴とする請求項１に記載の光スイッチ駆動回路。
【請求項５】
前記高域強調フィルタの出力電圧と、前記低域強調フィルタの出力電圧とを加算し、加算した電圧を前記光増幅部に印加される電圧として生成する加算部
をさらに有することを特徴とする請求項２〜４のいずれか一つに記載の光スイッチ駆動回路。
【請求項６】
所定の電圧から一定電圧に立ち上がるパルス波を発生させる発生部と、
印加された電圧に応じた増幅率で光信号を増幅する光増幅部と、
前記光増幅部に印加される電圧を生成する電圧印加部と
を有し、
前記電圧印加部は、
前記発生部が一定電圧に立ち上げたパルス波の電圧を、定常電圧よりも高い電圧に上昇させた後、前記定常電圧よりも低い電圧に下降させる高域強調フィルタと、
前記高域強調フィルタが前記定常電圧よりも低い電圧に下降させた電圧を、前記定常電圧まで上昇させる低域強調フィルタと
を有することを特徴とする光スイッチ。
【請求項７】
複数の入力ポートと、複数の出力ポートと、
前記各入力ポートから入力される光信号を分岐する分岐部と、
前記各出力ポートに合波した光信号を出力する合波部と、
前記分岐部で分岐された光信号が入力され、前記合波部に接続された複数の光スイッチとを有し、
前記光スイッチは、
所定の電圧から一定電圧に立ち上がるパルス波を発生させる発生部と、
印加された電圧に応じた増幅率で光信号を増幅する光増幅部と、
前記光増幅部に印加される電圧を生成する電圧印加部と
を有し、
前記電圧印加部は、
前記発生部が一定電圧に立ち上げたパルス波の電圧を、定常電圧よりも高い電圧に上昇させた後、前記定常電圧よりも低い電圧に下降させる高域強調フィルタと、
前記高域強調フィルタが前記定常電圧よりも低い電圧に下降させた電圧を、前記定常電圧まで上昇させる低域強調フィルタと
を有することを特徴とする光切替スイッチ。
【発明の詳細な説明】
【技術分野】
【０００１】
本発明は、光スイッチ駆動回路、光スイッチ及び光切替スイッチに関する。
【背景技術】
【０００２】
近年、高速化かつ大容量化の光通信ネットワークを実現するために、ナノ秒（ｎｓ）オーダで光信号の出力をオン（ＯＮ）又はオフ（ＯＦＦ）に切り替える光ゲートスイッチについて研究が進められている。ナノ秒オーダで光信号の出力を制御する光ゲートスイッチとしては、例えば、ＳＯＡ（Semiconductor  Optical  Amplifier：半導体光増幅器）を用いた光ゲートスイッチが知られている。以下では、ＳＯＡを用いたゲートスイッチを「ＳＯＡ型光ゲートスイッチ」と表記する場合がある。
【０００３】
ＳＯＡ型光ゲートスイッチは、駆動回路からＳＯＡに電圧を印加し、ＳＯＡに駆動電流を供給することにより、光信号の出力をオン又はオフのいずれかに切り替える。ＳＯＡは、光増幅器であるので、駆動電流によって増幅率が変動する特性を有する。このため、ＳＯＡ型光ゲートスイッチは、例えば、システムによって定められている所定の駆動電流をＳＯＡに供給することにより、所望の増幅率によって増幅された光信号を出力する。このような例において、ＳＯＡ型光ゲートスイッチは、ナノ秒オーダで光信号の出力を切り替える場合には、ＳＯＡに供給する所定の駆動電流をナノ秒オーダでオン又はオフのいずれかに切り替える。
【０００４】
ここで、ＳＯＡ型光ゲートスイッチは、ＳＯＡの抵抗成分や、駆動回路からＳＯＡまでの電気配線におけるインダクタンス等を含むので、ＬＲフィルタ回路の等価回路として表される。したがって、ＳＯＡ型光ゲートスイッチでは、ＳＯＡに電圧が印加されるタイミングに対してＳＯＡに駆動電流が供給されるタイミングが遅延する。このため、ＳＯＡ型光ゲートスイッチは、ステップ関数により表される立ち上がりが急峻な電圧をＳＯＡに印加した場合であっても、ＳＯＡに所定の駆動電流が流れるまでに時間がかかるので、光信号の出力を高速に切り替えることが困難である。
【０００５】
このようなことから、駆動回路とＳＯＡとの間に高域強調フィルタを設ける技術がある。かかる技術において、駆動回路は、光信号の出力オン時にＳＯＡに対して定常的に印加する電圧よりも高い電圧をＳＯＡに印加する。なお、以下では、光信号の出力をオンにする際にＳＯＡに定常的に印加される電圧を「定常電圧」と表記する場合がある。定常電圧がＳＯＡに印加され続けた場合には、システムによって定められている所定の駆動電流がＳＯＡに供給されることになる。
【０００６】
上記の高域強調フィルタを用いた技術によれば、駆動回路から立ち上がりが急峻である電圧が出力された際に、高域強調フィルタによって高周波成分が通過されるので、ＳＯＡには定常電圧よりも高い電圧が印加される。これにより、高域強調フィルタを用いたＳＯＡ型光ゲートスイッチでは、駆動回路から電圧が出力された際に、ＳＯＡに所定の駆動電流がすばやく供給されるので、光信号の出力を高速に切り替えることが可能になると考えられる。
【先行技術文献】
【特許文献】
【０００７】
【特許文献１】特開２００９−５５５５０号公報
【発明の概要】
【発明が解決しようとする課題】
【０００８】
しかしながら、高域強調フィルタを用いた従来のＳＯＡ型光ゲートスイッチには、ＳＯＡに供給される駆動電流にオーバーシュートが発生するという問題がある。かかる問題について、図８及び図９を用いて具体的に説明する。図８は、従来の光スイッチ駆動回路の構成例を示す図である。
【０００９】
図８に示すように、従来の光スイッチ駆動回路９０は、パルス発生器９１と、オペアンプ９２と、高域強調フィルタ９４と、抵抗器９５とを有し、ＳＯＡ９３と接続される。パルス発生器９１は、光信号の出力をオンにする場合にはＳＯＡ９３に電圧を印加し、光信号の出力をオフにする場合にはＳＯＡ９３に電圧を印加しない。オペアンプ９２は、インピーダンス変換を行う。ＳＯＡ９３は、オペアンプ９２の出力電圧が印加されることにより駆動電流が供給され、かかる駆動電流に応じて光信号を増幅して出力する。高域強調フィルタ９４は、コンデンサ９４ａと抵抗器９４ｂとを含むＣＲ回路である。かかる高域強調フィルタ９４は、パルス発生器９１の出力電圧のうち、高周波成分の出力電圧を通過させ、低周波成分の出力電圧は低減する。
【００１０】
図９を用いて、図８に示した光スイッチ駆動回路９０による動作例を説明する。図９は、図８に示したパルス発生器によって出力される電圧の一例を示す図である。なお、図９の上段は、図８に示したパルス発生器９１によって出力される電圧の一例を示す。また、図９の中段は、ＳＯＡ９３に印加される電圧の一例を示す。また、図９の下段は、ＳＯＡ９３に供給される駆動電流の一例を示す。
【００１１】
図９に示した例では、パルス発生器９１は、０［Ｖ］から一定電圧「Ｖ０」に立ち上がるパルス波を発生させる。なお、電圧「Ｖ０」が印加されたオペアンプ９２の出力電圧は、定常電圧よりも高いものとする。ここで、高域強調フィルタ９４は、高周波成分を通過させるので、パルス発生器９１によって時間ｔ１１に電圧「Ｖ０」が印加された瞬間には、電圧「Ｖ０」をオペアンプ９２に出力する。そして、オペアンプ９２は、図９の中段に示すように、高域強調フィルタ９４から出力される電圧「Ｖ０」を増幅し、増幅後の電圧「Ｖ１１」を時間ｔ１１にＳＯＡ９３に印加する。なお、オペアンプ９２の利得が「１倍」である場合には、電圧「Ｖ０」と電圧「Ｖ１１」とは略同一になる。
【００１２】
続いて、図９の上段に例示したように、パルス発生器９１の出力電圧が一定の「Ｖ０」になった場合には、高域強調フィルタ９４は、オペアンプ９２に出力する電圧を「Ｖ０」から徐々に低下させる。したがって、オペアンプ９２によってＳＯＡ９３に印加される電圧は、「Ｖ１１」から徐々に低下する。図９の中段に示した例では、オペアンプ９２によってＳＯＡ９３に印加される電圧は、「Ｖ１１」から「Ｖ１２」まで低下し、「Ｖ１２」で一定となる。
【００１３】
このように、光スイッチ駆動回路９０は、光信号の出力をオンにする場合に、図９の中段に示したように、ＳＯＡ９３に対して定常電圧「Ｖ１２」よりも高い電圧「Ｖ１１」を印加する。これにより、光スイッチ駆動回路９０は、図９の下段に示すように、システムによって定められている所定の駆動電流「Ｉｔ」をＳＯＡ９３にすばやく供給する。
【００１４】
ここで、ＳＯＡ９３の抵抗成分は、所定の印加電圧値を境に大きく変動する。したがって、ＳＯＡ９３に対して定常電圧よりも高い電圧が印加され続けると、図９の下段に示すように、ＳＯＡ９３には、駆動電流「Ｉｔ」よりも大きい駆動電流が供給され、オーバーシュートが発生する。図９に示した例では、時間ｔ１１〜ｔ１２において、定常電圧「Ｖ１２」よりも高い電圧がＳＯＡ９３に印加され続ける。その結果、時間ｔ２１〜ｔ２２において、駆動電流「Ｉｔ」よりも大きい駆動電流がＳＯＡ９３に供給されている。このことは、ＳＯＡ９３の増幅率が変動するので、ＳＯＡ９３によって出力される光信号のパワーが変動するという問題を招く。
【００１５】
開示の技術は、上記に鑑みてなされたものであって、光スイッチに供給される駆動電流をすばやく供給し、かつ、光スイッチに供給される駆動電流にオーバーシュートが発生することを抑制できる光スイッチ駆動回路、光スイッチ及び光切替スイッチを提供することを目的とする。
【課題を解決するための手段】
【００１６】
本願の開示する光スイッチ駆動回路は、一つの態様において、所定の電圧から一定電圧に立ち上がるパルス波を発生させる発生部と、定常電圧よりも高い電圧を印加した後、前記定常電圧よりも低い電圧まで低下し、さらに前記定常電圧を印加する電圧印加部とを有する。
【発明の効果】
【００１７】
本願の開示する光スイッチ駆動回路の一つの態様によれば、光スイッチに供給される駆動電流をすばやく供給し、かつ、光スイッチに供給される駆動電流にオーバーシュートが発生することを抑制できるという効果を奏する。
【図面の簡単な説明】
【００１８】
【図１】図１は、実施例１に係る光スイッチ駆動回路を有する光切替スイッチの構成例を示す図である。
【図２】図２は、実施例１に係る光スイッチ駆動回路の構成例を示す図である。
【図３】図３は、実施例１におけるＳＯＡの印加電圧及び駆動電流の一例を示す図である。
【図４】図４は、実施例１におけるパルス発生器によって出力される電圧の一例を示す図である。
【図５】図５は、実施例１におけるＳＯＡに供給される駆動電流の一例を示す図である。
【図６】図６は、実施例２に係る光スイッチ駆動回路の構成例を示す図である。
【図７】図７は、実施例３に係る光スイッチ駆動回路の構成例を示す図である。
【図８】図８は、従来の光スイッチ駆動回路の構成例を示す図である。
【図９】図９は、図８に示したパルス発生器によって出力される電圧の一例を示す図である。
【発明を実施するための形態】
【００１９】
以下に、本願の開示する光スイッチ駆動回路、光スイッチ及び光切替スイッチの実施例を図面に基づいて詳細に説明する。なお、この実施例により本願の開示する光スイッチ駆動回路、光スイッチ及び光切替スイッチが限定されるものではない。
【実施例１】
【００２０】
［光スイッチの構成］
まず、図１を用いて、実施例１に係る光スイッチ駆動回路を有する光切替スイッチについて説明する。図１は、実施例１に係る光スイッチ駆動回路を有する光切替スイッチの構成例を示す図である。図１には、実施例１に係る光スイッチ駆動回路を有する光切替スイッチの一例として、マトリクス光スイッチを示す。図１に示すように、マトリクス光スイッチ１は、分配カプラ１０１〜１０ｎと、合波カプラ１１１〜１１ｎと、ＳＯＡ１２１−１〜１２ｎ−ｎとを有する。
【００２１】
分配カプラ１０１〜１０ｎは、入力ポートＰＩ１〜ＰＩｎに入力される各光信号を分配する。具体的には、分配カプラ１０１は、入力ポートＰＩ１に入力される光信号をＳＯＡ１２１−１、１２２−１、・・・、１２ｎ−１に分配する。また、分配カプラ１０２は、入力ポートＰＩ２に入力される光信号をＳＯＡ１２１−２、１２２−２、・・・、１２ｎ−２に分配し、分配カプラ１０ｎは、入力ポートＰＩｎに入力される光信号をＳＯＡ１２１−ｎ、１２２−ｎ、・・・、１２ｎ−ｎに分配する。
【００２２】
合波カプラ１１１〜１１ｎは、ＳＯＡ１２１−１〜１２ｎ−ｎから入力される各光信号を合波し、合波後の光信号を出力ポートＰＯ１〜ＰＯｎに出力する。具体的には、合波カプラ１１１は、ＳＯＡ１２１−１〜１２１−ｎから入力される各光信号を合波し、合波後の光信号を出力ポートＰＯ１に出力する。また、合波カプラ１１２は、ＳＯＡ１２２−１〜１２２−ｎから入力される各光信号を合波して出力ポートＰＯ２に出力し、合波カプラ１１ｎは、ＳＯＡ１２ｎ−１〜１２ｎ−ｎから入力される各光信号を合波して出力ポートＰＯｎに出力する。
【００２３】
ＳＯＡ１２１−１〜１２ｎ−ｎは、図示しない駆動回路から入力される駆動電流に応じて、光信号の出力をオン又はオフに切り替える。そして、ＳＯＡ１２１−１〜１２ｎ−ｎは、オン状態である場合には、合波カプラ１１１〜１１ｎに光信号を出力する。図１に示した例において、ＳＯＡ１２１−１〜１２１−ｎは、合波カプラ１１１に光信号を出力し、ＳＯＡ１２２−１〜１２２−ｎは、合波カプラ１１２に光信号を出力し、ＳＯＡ１２ｎ−１〜１２ｎ−ｎは、合波カプラ１１ｎに光信号を出力する。なお、ＳＯＡ１２１−１〜１２ｎ−ｎの各々は、実施例１に係る光スイッチ駆動回路で駆動される。
【００２４】
図１に示した例では、入力ポートＰＩ１に光信号Ｐ１−２、Ｐ１−１、Ｐ１−ｎが入力され、入力ポートＰＩ２に光信号Ｐ２−ｎ、Ｐ２−２、Ｐ２−１が入力され、入力ポートＰＩｎに光信号Ｐｎ−１、Ｐｎ−ｎ、Ｐｎ−２が入力される。ここで、光信号Ｐ１−１、Ｐ２−１、Ｐｎ−１は、出力ポートＰＯ１に出力される光信号であるものとする。また、光信号Ｐ１−２、Ｐ２−２、Ｐｎ−２は、出力ポートＰＯ２に出力される光信号であり、光信号Ｐ１−ｎ、Ｐ２−ｎ、Ｐｎ−ｎは、出力ポートＰＯｎに出力される光信号であるものとする。
【００２５】
このとき、マトリクス光スイッチ１は、例えば、合波カプラ１１１から光信号Ｐ１−１が出力される場合には、少なくともＳＯＡ１２１−１をオン状態とし、ＳＯＡ１２２−１、・・・、１２ｎ−１をオフ状態とする。すなわち、図示しない駆動回路は、ＳＯＡ１２１−１に駆動電流を供給し、ＳＯＡ１２２−１、・・・、１２ｎ−１に駆動電流を供給しない。これにより、合波カプラ１１１から出力される光信号Ｐ１−１は、ＳＯＡ１２１−１と合波カプラ１１１とを介して、出力ポートＰＯ１に出力される。
【００２６】
また、マトリクス光スイッチ１は、例えば、分配カプラ１０１から光信号Ｐ１−２が出力される場合には、少なくともＳＯＡ１２２−１をオン状態とし、ＳＯＡ１２１−１、１２３−１、・・・、１２ｎ−１をオフ状態とする。これにより、分配カプラ１０１から出力される光信号Ｐ１−２は、ＳＯＡ１２２−１と合波カプラ１１２とを介して、出力ポートＰＯ２に出力される。また、マトリクス光スイッチ１は、例えば、分配カプラ１０ｎから光信号Ｐｎ−１が出力される場合には、少なくともＳＯＡ１２１−ｎをオン状態とし、ＳＯＡ１２２−ｎ、・・・、１２ｎ−ｎをオフ状態とする。これにより、分配カプラ１０ｎから出力される光信号Ｐｎ−１は、ＳＯＡ１２１−ｎと合波カプラ１１１とを介して、出力ポートＰＯ１に出力される。
【００２７】
このようにして、マトリクス光スイッチ１は、入力ポートＰＩ１〜ＰＩｎから出力される光信号の方路に応じて、ＳＯＡ１２１−１〜１２ｎ−ｎに供給する駆動電流を制御することにより、ＳＯＡ１２１−１〜１２ｎ−ｎをオン又はオフのいずれかに切り替える。これにより、マトリクス光スイッチ１は、入力ポートＰＩ１〜ＰＩｎから出力される光信号を所望の出力ポートＰＯ１〜ＰＯｎに出力することができる。具体的には、マトリクス光スイッチ１は、光信号Ｐｎ−１、Ｐ１−１、Ｐ２−１を出力ポートＰＯ１に出力し、光信号Ｐ１−２、Ｐ２−２、Ｐｎ−２を出力ポートＰＯ２に出力し、光信号Ｐ２−ｎ、Ｐｎ−ｎ、Ｐ１−ｎを出力ポートＰＯｎに出力することができる。
【００２８】
ここで、入力ポートＰＩ１〜ＰＩｎに、図１に示した順に光信号が入力されるものとする。具体的には、入力ポートＰＩ１は、まず、光信号Ｐ１−２が入力され、その後に、光信号Ｐ１−１が入力され、その後に、光信号Ｐ１−ｎが入力されるものとする。すなわち、ＳＯＡ１２１−１は、分配カプラ１０１から、光信号Ｐ１−２が入力され、その後に、光信号Ｐ１−１が入力され、その後に、光信号Ｐ１−ｎが入力される。
【００２９】
かかる場合に、光信号Ｐ１−２の出力先は出力ポートＰＯ２であるので、ＳＯＡ１２１−１は、光信号Ｐ１−２が入力された場合には、オフ状態となる。また、光信号Ｐ１−１の出力先は出力ポートＰＯ１であるので、ＳＯＡ１２１−１は、光信号Ｐ１−１が入力された場合には、オン状態となる。また、光信号Ｐ１−ｎの出力先は出力ポートＰＯｎであるので、ＳＯＡ１２１−１は、光信号Ｐ１−ｎが入力された場合には、オフ状態となる。すなわち、ＳＯＡ１２１−１は、分配カプラ１０１から光信号Ｐ１−２、光信号Ｐ１−１、光信号Ｐ１−ｎの順に入力された場合には、オフ状態、オン状態、オフ状態の順に状態遷移する。
【００３０】
図１に例示したマトリクス光スイッチ１を用いたシステムにおいて、各光信号が入力ポートＰＩ１等に入力される間隔は、例えば、ナノ秒程度である場合がある。したがって、上記例において、ＳＯＡ１２１−１を含む光スイッチ駆動回路は、ナノ秒オーダで光信号の出力を制御することになる。同様に、ＳＯＡ１２１−２〜ＳＯＡ１２ｎ−ｎを含む光スイッチ駆動回路についても、ナノ秒オーダで光信号の出力を制御することになる。実施例１に係る光スイッチ駆動回路は、ＳＯＡに供給される駆動電流にオーバーシュートが発生することを抑制しつつ、ナノ秒オーダで光信号の出力をオン又はオフに切り替えることを可能にする。以下に、実施例１に係る光スイッチ駆動回路について詳細に説明する。
【００３１】
［実施例１に係る光スイッチ駆動回路の構成］
次に、図２を用いて、実施例１に係る光スイッチ駆動回路について説明する。図２は、実施例１に係る光スイッチ駆動回路の構成例を示す図である。図２に示すように、実施例１に係る光スイッチ駆動回路１００は、パルス発生器１１０と、オペアンプ１２０と、高域強調フィルタ１４０と、低域強調フィルタ１５０と、抵抗器１６０とを有し、ＳＯＡ１３０と接続される。
【００３２】
パルス発生器１１０は、所定の電圧から一定電圧に立ち上がるパルス波を発生させる。具体的には、パルス発生器１１０は、ＳＯＡ１３０に電圧を印加する駆動回路であり、図示しない制御部から入力される制御信号に従って、出力電圧を制御する。例えば、パルス発生器１１０は、ＳＯＡ１３０による光信号の出力をオンにする場合にはＳＯＡ１３０に電圧を印加し、光信号の出力をオフにする場合にはＳＯＡ１３０に電圧を印加しない。なお、図示しない制御部は、例えば、図１に示したマトリクス光スイッチ１に設けられており、光信号に付加された方路情報に基づいて、パルス発生器１１０に制御信号を送信することで、ＳＯＡ１３０による光信号の出力をオン又はオフに切り替える。
【００３３】
オペアンプ１２０は、ボルテージフォロアであり、インピーダンス変換器として動作する。具体的には、オペアンプ１２０は、高域強調フィルタ１４０及び低域強調フィルタ１５０と接続される入力インピーダンスが高く、ＳＯＡ１３０と接続される出力インピーダンスが低い。これにより、オペアンプ１２０は、非反転入力端子（＋）から入力される電流に対して大きい電流をＳＯＡ１３０に供給することができる。なお、オペアンプ１２０は、１倍以外の利得を有してもよく、１倍以外の利得を有する場合には、入力電圧を増幅し、増幅後の電圧をＳＯＡ１３０に印加する。
【００３４】
また、オペアンプ１２０は、図２に示すように、正電源１２１及び負電源１２２と接続される。正電源１２１及び負電源１２２は、オペアンプ１２０を動作させるために、オペアンプ１２０に電圧を印加する。なお、負電源１２２は、可変電圧となっており、製造者や利用者等によってオペアンプ１２０に印加する負電圧を調節可能になっている。かかる負電源１２２については、図５等を用いて後に説明する。
【００３５】
ＳＯＡ１３０は、印加された電圧に応じた増幅率で光信号を増幅する。具体的には、ＳＯＡ１３０は、オペアンプ１２０の出力電圧が印加されることにより駆動電流が供給され、かかる駆動電流に応じて光信号を増幅する。例えば、ＳＯＡ１３０は、駆動電流が供給されている場合には、外部装置から入力される光信号を増幅し、増幅後の光信号を外部装置に出力する。また、ＳＯＡ１３０は、駆動電流が供給されていない場合には、外部装置から入力される光信号を吸収し、かかる光信号を外部装置に出力しない。
【００３６】
図２に示した例では、ＳＯＡ１３０は、光信号Ｐ１１が入力されるタイミングにおいて、駆動電流が供給されなかったため、光信号Ｐ１１を吸収して外部装置に出力しない。また、ＳＯＡ１３０は、光信号Ｐ１２が入力されるタイミングにおいて、駆動電流が供給されたため、光信号Ｐ１２を増幅して外部装置に出力する。なお、ＳＯＡ１３０は、図１に示したＳＯＡ１２１−１〜１２ｎ−ｎに対応する。
【００３７】
高域強調フィルタ１４０は、トリマーコンデンサ１４１と、抵抗器１４２とを含むＣＲ回路である。トリマーコンデンサ１４１は、例えば、対向する２つの電極間の距離が調整されることにより、静電容量（capacitance）が変動する可変コンデンサである。抵抗器１４２は、所定の抵抗値を有する受動素子である。かかる高域強調フィルタ１４０は、パルス発生器１１０の出力電圧のうち、高周波成分を通過させてオペアンプ１２０に出力し、低周波成分低減してオペアンプ１２０に出力しない。図２に示した例では、高域強調フィルタ１４０は、一端がパルス発生器１１０と接続され、他端がオペアンプ１２０の非反転入力端子（＋）と接続される。
【００３８】
低域強調フィルタ１５０は、静電容量が可変であるトリマーコンデンサ１５１と、抵抗器１５２とを含むＣＲ回路である。かかる低域強調フィルタ１５０は、パルス発生器１１０の出力電圧のうち、低周波成分を通過させてオペアンプ１２０に出力し、高周波成分は低減してオペアンプ１２０に出力しない。図２に示した例では、低域強調フィルタ１５０は、高域強調フィルタ１４０とオペアンプ１２０との間の配線と接続されており、他端が抵抗器１６０と接続される。
【００３９】
抵抗器１６０は、所定の抵抗値を有する受動素子である。図２に示した例では、抵抗器１６０は、一端が低域強調フィルタ１５０と接続されて、他端がＧＮＤ（グランド）接地される。
【００４０】
なお、図２に示した例において、光スイッチ駆動回路１００は、オペアンプ１２０以外のインピーダンス変換器を有してもよい。具体的には、光スイッチ駆動回路１００は、オペアンプ１２０の代わりに、高域強調フィルタ１４０及び低域強調フィルタ１５０と接続される入力インピーダンスが高く、ＳＯＡ１３０と接続される出力インピーダンスが低い素子を有してもよい。
【００４１】
このように、図２に示した例において、高域強調フィルタ１４０、低域強調フィルタ１５０、オペアンプ１２０等は、パルス発生器１１０から出力されるパルス波の電圧を整形し、整形後の電圧をＳＯＡ１３０に印加する電圧印加部１７０として動作する。すなわち、電圧印加部１７０は、パルス発生器１１０において発生されるパルス波の立ち上がり部分の電圧を入力として、ＳＯＡ１３０の所望の増幅率に対応する定常電圧よりも高い電圧をＳＯＡ１３０に印加する。また、電圧印加部１７０は、パルス発生器１１０において発生されるパルス波の一定電圧を入力として、定常電圧よりも低い電圧まで低下した後に前記定常電圧と略同一の電圧に上昇する電圧をＳＯＡ１３０に印加する。
【００４２】
［実施例１に係る光スイッチ駆動回路の動作例１］
次に、図３を用いて、光信号の出力をオンにする場合における光スイッチ駆動回路１００の動作例について説明する。図３は、実施例１におけるＳＯＡ１３０の印加電圧及び駆動電流の一例を示す図である。なお、図３の上段は、パルス発生器１１０によって出力される電圧の一例を示す。また、図３の中段は、ＳＯＡ１３０に印加される電圧の一例を示す。また、図３の下段は、ＳＯＡ１３０に供給される駆動電流の一例を示す。
【００４３】
まず、パルス発生器１１０によって電圧「Ｖ０」が出力される瞬間について検討する。高域強調フィルタ１４０は、高周波成分を通過させるので、パルス発生器１１０によって電圧「Ｖ０」が出力された瞬間には、かかる電圧「Ｖ０」をオペアンプ１２０に出力する。一方、低域強調フィルタ１５０は、高周波成分を低減するので、パルス発生器１１０によって電圧「Ｖ０」が出力された瞬間には、かかる電圧「Ｖ０」を低減する。
【００４４】
続いて、パルス発生器１１０によって出力される電圧が「Ｖ０」で一定になった場合について検討する。高域強調フィルタ１４０は、低周波成分を低減するので、パルス発生器１１０から一定の電圧「Ｖ０」が出力される場合には、オペアンプ１２０に出力する電圧を「Ｖ０」から徐々に低下させる。一方、低域強調フィルタ１５０は、低周波成分を通過させやすくするので、パルス発生器１１０から一定の電圧「Ｖ０」が出力される場合には、オペアンプ１２０に出力する電圧を徐々に増加させる。
【００４５】
このように、図２に示した光スイッチ駆動回路１００において、パルス発生器１１０から出力される電圧は、高域強調フィルタ１４０及び低域強調フィルタ１５０によって変動される。そして、オペアンプ１２０は、高域強調フィルタ１４０及び低域強調フィルタ１５０によって変動された電圧を入力とし、出力電圧をＳＯＡ１３０に印加する。
【００４６】
図３の中段に示した「ＶＨ」は、高域強調フィルタ１４０によって変動された電圧がオペアンプ１２０によって増幅された電圧の波形を示す。また、図３に示した「ＶＬ」は、低域強調フィルタ１５０によって変動された電圧がオペアンプ１２０によって増幅された電圧の波形を示す。
【００４７】
上記のように、パルス発生器１１０によって図３の上段に例示した電圧が出力される場合には、高域強調フィルタ１４０は、電圧「Ｖ０」を通過させた後に、通過させる電圧を「Ｖ０」から徐々に低下させる。したがって、オペアンプ１２０に高域強調フィルタ１４０によって変動された電圧のみが入力されると仮定した場合には、オペアンプ１２０の出力電圧の波形は、図３に示した「ＶＨ」のようになる。
【００４８】
また、パルス発生器１１０によって図３の上段に例示した電圧が出力される場合には、低域強調フィルタ１５０は、電圧「Ｖ０」を低減した後に、通過させる電圧を徐々に増加させる。したがって、オペアンプ１２０に低域強調フィルタ１５０によって変動された電圧のみが入力されると仮定した場合には、オペアンプ１２０の出力電圧の波形は、図３に示した「ＶＬ」のようになる。以上のことから、オペアンプ１２０によってＳＯＡ１３０に印加される電圧は、図３に示した「ＶＩＮ」のようになる。
【００４９】
ここで、実施例１における光スイッチ駆動回路１００は、図３に示した「ＶＩＮ」のように、まず、ＳＯＡ１３０に対して、定常電圧「Ｖ１２」よりも高い電圧「Ｖ１１」を印加する。その後に、ＳＯＡ１３０に対する印加電圧を少なくとも「Ｖ１１」から定常電圧「Ｖ１２」よりも低い電圧「Ｖ１３」まで低下させる。その後に、光スイッチ駆動回路１００は、ＳＯＡ１３０への印加電圧を電圧「Ｖ１３」から定常電圧「Ｖ１２」まで増加させる。
【００５０】
図９を用いて説明したように、ＳＯＡに対して定常電圧「Ｖ１２」よりも高い電圧「Ｖ１１」を印加した後に、電圧「Ｖ１１」から定常電圧「Ｖ１２」まで徐々に低下させた場合には、ＳＯＡの駆動電流にオーバーシュートが発生する。これは、図９に例示した時間ｔ１１〜ｔ１２において、定常電圧「Ｖ１２」よりも高い電圧がＳＯＡに印加され続けるからである。
【００５１】
そこで、実施例１に係る光スイッチ駆動回路１００は、ＳＯＡ１３０に対して、電圧「Ｖ１１」を印加した後に、印加電圧を「Ｖ１１」から定常電圧「Ｖ１２」よりも低い電圧「Ｖ１３」まで低下させる。これにより、光スイッチ駆動回路１００は、ＳＯＡ１３０に定常電圧「Ｖ１２」よりも高い電圧が印加され続けることを防止することができる。その結果、光スイッチ駆動回路１００は、図３の下段に示すように、ＳＯＡ１３０に所定の駆動電流「Ｉｔ」よりも大きい駆動電流が供給されることを防止することができるので、オーバーシュートの発生を抑制することができる。すなわち、光スイッチ駆動回路１００は、ＳＯＡ１３０の増幅率が変動することを防止でき、ＳＯＡ１３０によって出力される光信号のパワーが変動することを防止することができる。
【００５２】
また、光スイッチ駆動回路１００は、光信号の出力をオンにする場合に、ＳＯＡ１３０に対して電圧「Ｖ１１」を印加することにより、図３の下段に示すように、システムによって定められている所定の駆動電流「Ｉｔ」をＳＯＡ１３０にすばやく供給することができる。これにより、光スイッチ駆動回路１００は、光信号の出力をすばやくオンにすることができる。すなわち、光スイッチ駆動回路１００は、ＳＯＡ１３０に供給される駆動電流にオーバーシュートが発生することを抑制しつつ、光信号の出力をすばやく切り替えることができる。
【００５３】
なお、光スイッチ駆動回路１００は、ＳＯＡ１３０に対する印加電圧「ＶＩＮ」の波形が、オーバーシュートが発生する波形を上下に反転させた波形を含むようにすることが好ましい。具体的には、ＳＯＡ１３０に対して、図３の上段に例示した電圧を印加した場合には、ＳＯＡ１３０に図９の下段に例示した駆動電流が供給されることになる。すなわち、光信号の出力オン時に、ＳＯＡ１３０に対して電圧「Ｖ１１」を印加する場合には、ＳＯＡ１３０に図９の下段に例示した駆動電流が供給されることになる。
【００５４】
図９の下段に示した例では、時間ｔ２１〜ｔ２２においてオーバーシュートが発生している。このような場合には、光スイッチ駆動回路１００は、図９の下段に例示した時間ｔ２１〜ｔ２２における駆動電流の波形を上下に反転させた波形を含む波形によって表される電圧「ＶＩＮ」をＳＯＡ１３０の印加電圧とすることが好ましい。例えば、図３に示した例では、光スイッチ駆動回路１００は、時間ｔ３１〜ｔ３２における電圧「ＶＩＮ」の波形が、図１２に例示した時間ｔ２１〜ｔ２２における駆動電流の波形を上下に反転させた波形と近似するようにすることが好ましい。これにより、光スイッチ駆動回路１００は、ＳＯＡ１３０に供給される駆動電流にオーバーシュートが発生することをより抑制することができる。
【００５５】
また、図３に示した例において、ＳＯＡ１３０に対する印加電圧が「Ｖ１１」から「Ｖ１２」よりも低くなるまでの間は、印加電圧が定常電圧「Ｖ１２」よりも高いので、ＳＯＡ１３０に所定の駆動電流「Ｉｔ」をすばやく供給することに寄与している。したがって、光スイッチ駆動回路１００は、ＳＯＡ１３０に駆動電流「Ｉｔ」を供給することができるように、印加電圧が「Ｖ１１」から「Ｖ１２」よりも低くなる時間ｔ３１を定めることが好ましい。
【００５６】
ここで、図３に示した「ＶＨ」によって示される波形は、高域強調フィルタ１４０の時定数τＨによって決定される。具体的には、高域強調フィルタ１４０の時定数τＨは、トリマーコンデンサ１４１のキャパシタンスを「Ｃ１４１」とし、抵抗器１４２の抵抗値を「Ｒ１４２」とした場合には、「Ｃ１４１・Ｒ１４２」によって示される。
【００５７】
また、図３に示した「ＶＬ」によって示される波形は、低域強調フィルタ１５０の時定数τＬによって決定される。具体的には、低域強調フィルタ１５０の時定数τＬは、トリマーコンデンサ１５１のキャパシタンスを「Ｃ１５１」とし、抵抗器１５２の抵抗値を「Ｒ１５２」とした場合には、「Ｃ１５１・Ｒ１５２」によって示される。
【００５８】
上記のように、トリマーコンデンサ１４１及びトリマーコンデンサ１５１の静電容量は、可変である。すなわち、実施例１に係る光スイッチ駆動回路１００は、例えば、製造時に製造者等がトリマーコンデンサ１４１及びトリマーコンデンサ１５１の静電容量を調整することにより、ＳＯＡ１３０に対する印加電圧「ＶＩＮ」の波形の形状を調整することができる。
【００５９】
例えば、図３の中段に示した「ＶＩＮ」は、電圧「Ｖ１１」まで立ち上がった後に、電圧「Ｖ１３」まで立ち下がり、その後に電圧「Ｖ１２」まで立ち上がっている。また、図３の中段を参照すると、「ＶＩＮ」において、２度目の立ち上がりの時定数τＬは、１度目の立ち上がりの時定数τＳよりも大きく、立ち下がりの時定数τＨは、２度目の立ち上がりの時定数τＬよりも小さいことが分かる。すなわち、各自定数について「τＬ＞τＨ＞τＳ」の関係が成り立つように、トリマーコンデンサ１４１及びトリマーコンデンサ１５１を調節することで、図３に例示した「ＶＩＮ」と近似する波形の電圧をＳＯＡ１３０に印加することができる。
【００６０】
［実施例１に係る光スイッチ駆動回路の動作例２］
次に、図４及び図５を用いて、光信号の出力をオフにする場合における光スイッチ駆動回路１００の動作例について説明する。図４は、実施例１におけるパルス発生器１１０によって出力される電圧の一例を示す図である。図５は、実施例１におけるＳＯＡ１３０の印加電圧及び駆動電流の一例を示す図である。
【００６１】
図４に示した例では、パルス発生器１１０は、光信号の出力をオンからオフに切り替える場合に、出力電圧を「０」にする。具体的には、図４に示した例において、パルス発生器１１０は、光信号の出力をオンにする時間ｔ４１において、出力電圧を「Ｖ０」とし、光信号の出力をオンからオフに切り替える時間ｔ４２において、出力電圧を「Ｖ０」から「０」にする。
【００６２】
このように、パルス発生器１１０の印加電圧が「Ｖ０」から「０」に切り替わる瞬間は、パルス発生器１１０から高周波成分の電圧が出力される。このため、パルス発生器１１０の印加電圧は、高域強調フィルタ１４０によって通過される。したがって、パルス発生器１１０の印加電圧が「Ｖ０」から「０」に切り替わる瞬間には、図５の上段に示すように、ＳＯＡ１３０には、電圧「Ｖ１１」と定常電圧「Ｖ１２」との差分である「Ｖ１１−Ｖ１２」の大きさの負電圧が印加される。このため、ＳＯＡ１３０に対して、ＳＯＡ１３０の耐圧の範囲以外の電圧が印加されるおそれがある。例えば、ＳＯＡ１３０の耐圧が＋１０．０［Ｖ］〜−１．０［Ｖ］に定められている場合に、「Ｖ１１−Ｖ１２」の絶対値が２．０［Ｖ］であると、ＳＯＡ１３０には耐圧の範囲以外の電圧が印加される。このことは、ＳＯＡ１３０を破損させるおそれがある。
【００６３】
そこで、実施例１に係る光スイッチ駆動回路１００では、図２に示すように、オペアンプ１２０の負電源１２２を可変電圧とする。すなわち、負電源１２２の電圧を調節することにより、ＳＯＡ１３０に対する印加電圧のうち、負電圧の絶対値が一定値よりも大きくならないように制御することができる。例えば、光スイッチ駆動回路１００の製造時に製造者等が負電源１２２の電圧を調節することにより、ＳＯＡ１３０に対する印加電圧を耐圧の範囲内にすることができ、その結果、ＳＯＡ１３０が破損することを防止することができる。図５の下段に示した例では、ＳＯＡ１３０に印加される負電圧は、「Ｖ１３」に制限されている。なお、「Ｖ１３」の絶対値は、「Ｖ１１−Ｖ１２」の絶対値よりも小さく、負電圧「Ｖ１３」は、ＳＯＡ１３０の耐圧の範囲内であるものとする。
【００６４】
［実施例１の効果］
上述してきたように、実施例１に係る光スイッチ駆動回路１００は、光信号の出力をオンにする場合に、ＳＯＡ１３０に対して、定常電圧よりも高い電圧を印加する。これにより、光スイッチ駆動回路１００は、所定の駆動電流をＳＯＡ１３０にすばやく供給することができるので、光信号の出力をすばやくオンにすることができる。
【００６５】
また、実施例１に係る光スイッチ駆動回路１００は、定常電圧よりも高い電圧をＳＯＡ１３０に印加した後に、ＳＯＡ１３０の印加電圧を定常電圧よりも低い電圧まで低下させる。これにより、光スイッチ駆動回路１００は、ＳＯＡ１３０に駆動電流が流れすぎることを防止することができるので、オーバーシュートの発生を抑制することができる。すなわち、光スイッチ駆動回路１００は、ＳＯＡ１３０の増幅率が変動することを防止でき、ＳＯＡ１３０によって出力される光信号のパワーが変動することを防止することができる。
【００６６】
以上のことから、実施例１に係る光スイッチ駆動回路１００は、ＳＯＡ１３０に供給される駆動電流にオーバーシュートが発生することを抑制しつつ、光信号の出力をすばやく切り替えることができる。
【００６７】
また、実施例１に係る光スイッチ駆動回路１００は、トリマーコンデンサ１４１を含む高域強調フィルタ１４０と、トリマーコンデンサ１５１を含む低域強調フィルタ１５０とを有する。これにより、実施例１に係る光スイッチ駆動回路１００は、トリマーコンデンサ１４１やトリマーコンデンサ１５１を調節されるだけで、ＳＯＡ１３０に対する印加電圧波形の時定数を調整することができる。
【００６８】
なお、実施例１に係る光スイッチ駆動回路１００は、トリマーコンデンサ１４１やトリマーコンデンサ１５１の代わりに、静電容量が固定であるコンデンサを有してもよい。例えば、高域強調フィルタ１４０や低域強調フィルタ１５０に含まれるコンデンサの静電容量値が予め定まっている場合には、光スイッチ駆動回路１００は、かかる静電容量値を有するコンデンサを有してもよい。
【実施例２】
【００６９】
上記実施例１では、図２に示したように、ＣＲ回路により高域強調フィルタ及び低域強調フィルタを実現する例を示した。しかし、本願の開示する光スイッチ駆動回路が有する高域強調フィルタ及び低域強調フィルタは、ＣＲ回路以外の回路によって実現されてもよい。実施例２では、外部からの電圧制御によって高域強調フィルタ及び低域強調フィルタの特性を調整することができる光スイッチ駆動回路の例について説明する。
【００７０】
図６を用いて、実施例２に係る光スイッチ駆動回路について説明する。図６は、実施例２に係る光スイッチ駆動回路の構成例を示す図である。図６に示すように、実施例２に係る光スイッチ駆動回路２００は、パルス発生器１１０と、オペアンプ１２０と、高域強調フィルタ２４０と、低域強調フィルタ２５０と、抵抗器２６０とを有し、ＳＯＡ１３０と接続される。なお、以下では、既に示した構成部位と同様の機能を有する部位には同一符号を付すこととして、その詳細な説明を省略する。
【００７１】
高域強調フィルタ２４０は、抵抗器２４１及び２４２、可変容量ダイオード２４３、コンデンサ２４４等を含む。抵抗器２４１の一端には、外部から電圧「ＶＨ１１」が印加される。かかる高域強調フィルタ２４０は、図２に示した高域強調フィルタ１４０と同様に、パルス発生器１１０の出力電圧のうち、高周波成分の出力電圧を通過させ、低周波成分の出力電圧を低減する特性を有する。すなわち、高域強調フィルタ２４０によって変動された電圧の波形は、図３に例示した「ＶＨ」とほぼ同様である。なお、高域強調フィルタ２４０の時定数は、外部電圧「ＶＨ１１」によって調整することができる。
【００７２】
低域強調フィルタ２５０は、抵抗器２５１及び２５２、可変容量ダイオード２５３、コンデンサ２５４等を含む。抵抗器２５１の一端には、外部から電圧「ＶＬ１１」が印加される。かかる低域強調フィルタ２５０は、図２に示した低域強調フィルタ１５０と同様に、パルス発生器１１０の出力電圧のうち、低周波成分の出力電圧を通過させ、高周波成分の出力電圧を低減する特性を有する。すなわち、低域強調フィルタ２５０によって変動された電圧の波形は、図３に例示した「ＶＬ」とほぼ同様である。なお、低域強調フィルタ２５０の時定数は、外部電圧「ＶＬ１１」によって調整することができる。
【００７３】
なお、図６に示した例において、高域強調フィルタ２４０、低域強調フィルタ２５０、オペアンプ１２０等は、パルス発生器１１０から出力されるパルス波の電圧を整形し、整形後の電圧をＳＯＡ１３０に印加する電圧印加部２７０として動作する。
【００７４】
このように、実施例２に係る光スイッチ駆動回路２００が有するフィルタの特性は、実施例１に係る光スイッチ駆動回路１００と同様に、高域強調フィルタ２４０の出力電圧と、低域強調フィルタ２５０の出力電圧との積によって表される。そして、光スイッチ駆動回路２００が有するフィルタの特性は、外部電圧「ＶＨ１１」及び「ＶＬ１１」によって容易に調整することができる。
【００７５】
したがって、実施例２に係る光スイッチ駆動回路２００を用いた場合には、ＳＯＡ１３０に印加する電圧波形の時定数を容易に調整することができる。これにより、実施例２に係る光スイッチ駆動回路２００を用いた場合には、ＳＯＡ１３０に供給される駆動電流にオーバーシュートが発生することを抑制しつつ、光信号の出力をすばやく切り替えることを容易に実現することができる。
【実施例３】
【００７６】
上記実施例１及び２では、光スイッチ駆動回路が高域強調フィルタと低域強調フィルタとの積により表されるフィルタを有する例を示した。しかし、本願の開示する光スイッチ駆動回路は、高域強調フィルタと低域強調フィルタとの和により表されるフィルタを有してもよい。実施例３では、高域強調フィルタと低域強調フィルタとの和により表されるフィルタを有する光スイッチ駆動回路の例について説明する。
【００７７】
図７を用いて、実施例３に係る光スイッチ駆動回路について説明する。図７は、実施例３に係る光スイッチ駆動回路の構成例を示す図である。図７に示すように、実施例３に係る光スイッチ駆動回路３００は、パルス発生器１１０と、オペアンプ１２０と、高域強調フィルタ３４０と、低域強調フィルタ３５０と、加算回路３６０とを有し、ＳＯＡ１３０と接続される。なお、以下では、既に示した構成部位と同様の機能を有する部位には同一符号を付すこととして、その詳細な説明を省略する。
【００７８】
高域強調フィルタ３４０は、抵抗器３４１及び３４２、可変容量ダイオード３４３、コンデンサ３４４、抵抗器３４５及び３４６、可変容量ダイオード３４７、コンデンサ３４８等を含む。抵抗器３４１の一端には、外部から電圧「ＶＨ２１」が印加される。また、抵抗器３４５の一端には、外部から電圧「ＶＨ２２」が印加される。かかる高域強調フィルタ３４０は、図２に示した高域強調フィルタ１４０と同様に、パルス発生器１１０の出力電圧のうち、高周波成分の出力電圧を通過させ、低周波成分の出力電圧を低減する特性を有する。すなわち、高域強調フィルタ３４０によって変動された電圧の波形は、図３に例示した「ＶＨ」と同様である。ここで、高域強調フィルタ３４０の時定数は、外部電圧「ＶＨ２１」及び「ＶＨ２２」によって調整することができる。
【００７９】
低域強調フィルタ３５０は、抵抗器３５１及び３５２、可変容量ダイオード３５３、コンデンサ３５４、抵抗器３５５及び３５６、可変容量ダイオード３５７、コンデンサ３５８等を含む。抵抗器３５１の一端には、外部から電圧「ＶＬ２１」が印加される。また、抵抗器３５５の一端には、外部から電圧「ＶＬ２２」が印加される。かかる低域強調フィルタ３５０は、図２に示した低域強調フィルタ１５０と同様に、パルス発生器１１０の出力電圧のうち、低周波成分の出力電圧を通過させ、高周波成分の出力電圧を低減する特性を有する。すなわち、低域強調フィルタ３５０によって変動された電圧の波形は、図３に例示した「ＶＬ」と同様である。ここで、低域強調フィルタ３５０の時定数は、外部電圧「ＶＬ２１」及び「ＶＬ２２」によって調整することができる。
【００８０】
加算回路３６０は、抵抗器３６１及び３６２を有する。かかる加算回路３６０は、高域強調フィルタ３４０の出力電圧と、低域強調フィルタ３５０の出力電圧とを加算し、加算後の出力電圧をオペアンプ１２０に出力する。
【００８１】
なお、図７に示した例において、高域強調フィルタ３４０、低域強調フィルタ３５０、加算回路３６０、オペアンプ１２０等は、パルス発生器１１０から出力されるパルス波の電圧を整形し、整形後の電圧をＳＯＡ１３０に印加する電圧印加部３７０として動作する。
【００８２】
このように、図７に示した光スイッチ駆動回路３００が有するフィルタの特性は、高域強調フィルタ３４０の出力電圧と、低域強調フィルタ３５０の出力電圧との和によって表される。したがって、実施例３に係る光スイッチ駆動回路３００を用いた場合には、高域強調フィルタ３４０の時定数と、低域強調フィルタ３５０の時定数とをそれぞれ独立に調整することができる。具体的には、フィルタ特性が双方のフィルタの和であるので、一方のフィルタの時定数を調整した場合であっても、他方のフィルタの時定数への影響がない。また、光スイッチ駆動回路３００が有するフィルタ特性は、外部電圧「ＶＨ２１」、「ＶＨ２２」、「ＶＬ２１」及び「ＶＬ２２」によって調整することができる。
【００８３】
したがって、実施例３に係る光スイッチ駆動回路３００を用いた場合には、ＳＯＡ１３０に印加する電圧波形の時定数を容易に調整することができる。これにより、実施例３に係る光スイッチ駆動回路３００を用いた場合には、ＳＯＡ１３０に供給される駆動電流にオーバーシュートが発生することを抑制しつつ、光信号の出力をすばやく切り替えることを容易に実現することができる。
【符号の説明】
【００８４】
１  マトリクス光スイッチ
１０１〜１０ｎ  分配カプラ
１１１〜１１ｎ  合波カプラ
１２１−１〜１２ｎ−ｎ  ＳＯＡ
９０  ＳＯＡ型光ゲートスイッチ
９１  パルス発生器
９２  オペアンプ
９３  ＳＯＡ
９４  高域強調フィルタ
９４ａ  コンデンサ
９４ｂ  抵抗器
９５  抵抗器
１００、２００、３００  光スイッチ駆動回路
１１０  パルス発生器
１２０  オペアンプ
１２１  正電源
１２２  負電源
１３０  ＳＯＡ
１４０、２４０、３４０  高域強調フィルタ
１４１、１５１  トリマーコンデンサ
１４２、１５２  抵抗器
１５０、２５０、３５０  低域強調フィルタ
１６０  抵抗器
１７０、２７０、３７０  電圧印加部
２４１、２５１  抵抗器
２４３、２５３  可変容量ダイオード
２６０  抵抗器
３４１、３４２、３４５、３４６  抵抗器
３４３、３４７  可変容量ダイオード
３４４、３４８  コンデンサ
３５１、３５２、３５５、３５６  抵抗器
３５３、３５７  可変容量ダイオード
３５４、３５８  コンデンサ
３６０  加算回路
３６１  抵抗器
【図１】
0005760398.tif 000002
【図２】
0005760398.tif 000003
【図３】
0005760398.tif 000004
【図４】
0005760398.tif 000005
【図５】
0005760398.tif 000006
【図６】
0005760398.tif 000007
【図７】
0005760398.tif 000008
【図８】
0005760398.tif 000009
【図９】
0005760398.tif 000010